(57)【特許請求の範囲】
【請求項１】
毛を引き抜くための複数の爪を並設し、回転または回動する脱毛手段を有する脱毛装置において、モータの回転が伝達されて回転軸を中心に回転又は回動する爪取付台に、回転軸と平行な方向の一端部及び外面とに開口する溝を設け、毛の把持部材と毛の把持部材を開閉する開閉手段とをブロック化することで構成した爪ブロックを上記溝に軸方向の一端部の開口から嵌め込んで毛の把持部材の先端部を爪取付台の外面から外方に突出させ、該爪ブロックの一端部を爪取付台の一方の端部に設けた当たり部に当接すると共に、爪取付台の他端部に爪取付ギアを取付けて爪ブロックの回転軸と平行な方向の抜け止めをして成ることを特徴とする脱毛装置。
【請求項２】
回転または回動する基台に毛の把持部材と、毛の把持部材を開閉する開閉手段とをブロック化したブロック体を基台の軸方向にスライドして取り付けると共に、基台の半径方向にブロック体の支持部を設けて成ることを特徴とする請求項１記載の脱毛装置。
【請求項３】
毛の把持部材を構成する可動爪と開閉手段を構成するレバーとを一体化して成ることを特徴とする請求項１記載の脱毛装置。
【請求項４】
複数の固定爪を一体に形成し、この固定爪を一体に形成したものに、可動爪とレバーとを組み込んでブロック化して成ることを特徴とする請求項１記載の脱毛装置。
【発明の詳細な説明】
【０００１】
【発明の属する技術分野】
本発明は、美容などの目的のために体毛を脱毛するのに使用される脱毛装置に関するものである。
【０００２】
【従来の技術】
従来から、美容などの目的のために体毛を脱毛するのに使用される脱毛装置として特公平７−７９７３１号公報（従来例１）や、米国特許第５０４１１２３号（従来例２）や、特開平２−３６８５７号公報（従来例３）が知られている。
【０００３】
上記従来例のうち、従来例１は回転円板に翼が設けられ、回転することで脱毛するようになっている。また、従来例２はハブに固定された円板の間にブレードが設けられ、回転して脱毛するようになっている。また、従来例３は可動の脱毛爪とバーを有し、回転して脱毛するようになっている。
【０００４】
しかして、上記の従来例１にあっては、円板に開口を有していて、翼を中心側より組み込むため、開口を大きくしなければならないという問題があった。また、従来例２にあっても同様にブレードの孔を大きくしなければならず、脱毛ヘッドの外径が大きくなってしまうという問題があった。また、従来例３においては、開口を大きくしてバーを組み込み大きな固定軸を組み込むため、これも同様に脱毛ヘッドの外径が大きくなるという問題があった。
【０００５】
更に、上記したいずれの従来例にあっても、一つの脱毛ブロックとして順次組み込むので、組み立てが複雑で、組み立てにくく、製造原価が高くなるという問題があった。
【０００６】
しかも、腋等の部位においては、脱毛ヘッドが大きいと、毛が見えにくく、使い勝手が悪くなり、このため、抜き残しが発生し、脱毛効率が悪くなると言う問題がある。また、腋の毛の生え方は異方向が多いため、複数の方向の脱毛ヘッドが必要になり、そのため一つの脱毛ヘッドを更に小型化する必要がある。また、このため、小型の脱毛ヘッドを組み立てやすくする必要がある。
【０００７】
【発明が解決しようとする課題】
本発明は上記の点に鑑みてなされたものであり、腋等の毛が見やすくて狙いやすくて、脱毛効率が良く、使い勝手が良く、しかも小型で組み立てやすい安価な脱毛装置を提供することを目的とするものである。
【０００８】
【課題を解決するための手段】
上記課題を解決するために、本発明に係る脱毛装置は、毛を引き抜くための複数の爪を並設し、回転または回動する脱毛手段を有する脱毛装置において、モータの回転が伝達されて回転軸を中心に回転又は回動する爪取付台に、回転軸と平行な方向の一端部及び外面とに開口する溝を設け、毛の把持部材と毛の把持部材を開閉する開閉手段とをブロック化することで構成した爪ブロックを上記溝に軸方向の一端部の開口から嵌め込んで毛の把持部材の先端部を爪取付台の外面から外方に突出させ、該爪ブロックの一端部を爪取付台の一方の端部に設けた当たり部に当接すると共に、爪取付台の他端部に爪取付ギアを取付けて爪ブロックの回転軸と平行な方向の抜け止めをして成ることを特徴とするものである。このように脱毛手段を開閉する開閉手段と、毛の把持部材とをブロック化することで、小型の脱毛装置を構成でき、腋等の毛が見やすく、狙いやすくなる。また、ブロック化することで、小型の脱毛ヘッドの構造を簡易化できることになり、また、ブロック化した爪ブロックを溝に軸方向の一端部の開口から嵌め込んで毛の把持部材の先端部を爪取付台の外面から外方に突出させることで爪取付台に組み込むことができ、しかも、該爪ブロックの一端部を爪取付台の一方の端部に設けた当たり部に当接すると共に、爪取付台の他端部に爪取付ギアを取付けて爪ブロックの回転軸と平行な方向の抜け止めをするので、爪取付台の一方の端部に設けた当たり部と、爪取付ギアとにより長手方向の両側の抜け止めがなされ、爪ブロックが爪取付基台の軸方向にずれないように確実に取り付けられて、爪ブロックの取り付け強度を向上できる。
【０００９】
また、回転または回動する基台に、毛の把持部材と、毛の把持部材を開閉する開閉手段とをブロック化したブロック体を基台の軸方向にスライドして取り付けると共に、基台の半径方向にブロック体の支持部を設けることが好ましい。このような構成とすることで、基台にブロック体を確実に取り付けることができるものである。
【００１０】
また、毛の把持部材を構成する可動爪と開閉手段を構成するレバーとを一体化することが好ましい。このような構成とすることで、簡単な構成でブロック化でき、更に小型の脱毛ヘッドとすることができるものである。
【００１１】
また、複数の固定爪を一体に形成し、この固定爪を一体に形成したものに、可動爪とレバーとを組み込んでブロック化することが好ましい。このような構成とすることで、小型の脱毛ヘッドとすることができるものである。
【００１３】
【発明の実施の形態】
以下、本発明の実施の形態を説明する。
【００１４】
脱毛装置は、図１乃至図５に示すようにモータ１１を内蔵する本体１と、脱毛手段を内蔵する２つの脱毛ブロック２とから構成してある。本体１は、二つ割りのハウジング１０内に上記モータ１１、モータ１１の出力軸に取り付けたピニオン４と噛合するフェイスギア５、フェイスギア５に一体に設けられるギア５ａと噛合する中間ギア６、中間ギア６と噛合し一方の脱毛ブロック２を駆動させる駆動ギア７、中間ギア６と噛合した他方の脱毛ブロック２を駆動する駆動ギア８、９を内装し、また、ハウジング１０の下部に電源ジャック１４を固定した下カバー３を取り付け、更に、ハウジング１０にモータ１１をオン、オフするためのスイッチ１５を設けて構成してある。
【００１５】
脱毛ブロック２は図２、図６乃至図９に示すように、基台となる爪取付台２０に脱毛ブロック２の回転軸Ｊ４に平行に且つ円周に所定間隔で配置された３つの爪ブロック２１と、脱毛ブロック２を回転させるために駆動ギア７または駆動ギア９と噛合し爪取付台２０に連結される爪取付台ギア５０とからなるものとして形成してある。ここで、２つの脱毛ブロック２は本体１の上部の前後に回転軸Ｊ４が平行となるように配置されるものであるが、一方の脱毛ブロック２には軸方向の一方の片側に爪取付台ギア５０が設けられ、他方の脱毛ブロック２には軸方向の他方の片側に爪取付台ギア５０が設けられるものである。
【００１６】
脱毛ブロック２の駆動は以下のようにして行われる。すなわち、モータ１１の回転に伴い軸Ｊ１に取り付けられたフェイスギア５が回転すると、それに伴い軸Ｊ２に取り付けられている中間ギア６がギア５ａによって回転伝達されて、更に軸Ｊ３に取り付けられている駆動ギア８を介して駆動ギア９が一方の脱毛ブロック２の爪取付台２０に連結された爪取付台ギア５０を回転させる。他方の脱毛ブロック２は、爪取付台ギア５０が一方の脱毛ブロック２とは反対側に設けられていて、中間ギア６の回転駆動を駆動ギア８、９とは反対側に設けられた駆動ギア７に伝達し、他方の脱毛ブロック２を回転させている。このように一方の脱毛ブロック２の駆動手段を当該脱毛ブロック２の軸方向の一方の端部側に設け、これと平行な他方の脱毛ブロック２の駆動手段を当該脱毛ブロック２の軸方向の他方の端部側に設けることで（つまり駆動手段が両側に配置するように設けることで）、一方の側面に駆動音が集中することなく、両側面に分散されて、音の低い脱毛装置とすることができるものである。また、添付図面に示す実施形態のように伝達手段をギア列にすることで、組み立て性がよく、構造を簡略化できるものである。また、ギア段数を一方の脱毛ブロック２を回転させる方を偶数数段（駆動ギア７、８）、他方の脱毛ブロック２を回転させるギア段数を奇数段（駆動ギア９）にすることで、２つの脱毛ブロック２を互いに異なる方向に回転することができ、腋などの毛の生え方向の異なる部位をそれぞれの適した脱毛ブロック２で抜くことができるものである。
【００１７】
脱毛手段を構成する爪ブロック２１は、図１０に示すように固定爪３０と爪支持部３１とを設けた爪支持部材３５と、可動爪３２と、可動爪３２を爪ブロック２１の回転軸方向に揺動させるための一対の開閉レバー３３、３４とで構成してある。ここで、固定爪３０、可動爪３２により毛の把持部材が構成してあり、また開閉レバー３３、３４により毛の把持部材を開閉するための開閉手段が構成してある。
【００１８】
爪支持部材３５は中央部が開口した長方形状をした枠体部３５ｂの開口部分に枠体部３５ｂの長手方向に一定間隔を隔てて固定爪３０と爪支持部３１とを交互に配設すると共に固定爪３０と爪支持部３１との両端部をそれぞれ枠体部３５ｂに一体に形成してあり、また、枠体部３５ｂの長手方向の両端部の下面部にフック部３５ａが形成してある。ここで、固定爪３０は枠体部３５ｂの両側枠部３５ｃよりも上方に突出しており、更に、固定爪３０及び爪支持部３１の両端部は枠体部３５ｂの両側枠部３５ｃよりも内側に引き込んで位置している。
【００１９】
図２に示すように、開閉レバー３３の前面には一定間隔でスリット溝３３ａが形成してあり、また、開閉レバー３３の一端部の一側面側からリブ３３ｂが設けてある。開閉レバー３４の前面には一定間隔でスリット溝３４ａが形成してあり、また、開閉レバー３４の他端部の他側面側からリブ３４ｂが設けてあり、一対の開閉レバー３３、３４を並べた状態で、リブ３３ｂが開閉レバー３４の他端部（リブ３４ｂを設けていない方の端部）と対向し、リブ３４ｂが開閉レバー３３の他端部（リブ３３ｂを設けていない方の端部）と対向させ、リブ３３ｂと開閉レバー３４の他端部との間乃至リブ３４ｂと開閉レバー３３の他端部との間にコイルスプリングのようなばね３６を介在させ、この状態で、一対の開閉レバー３３、３４のリブ３３ｂ、３４ｂをそれぞれ爪支持部材３５のフック部３５ａにスライド自在に嵌め込むことで、一対の開閉レバー３３を爪支持部材３５に組み込むものである。その後、可動爪３２の突部３２ａが前後で反対になるように、開閉レバー３３、３４のスリット溝３３ａ、３３ｂに嵌め込む。この時、嵌め込んだ状態で開閉レバー３３、３４はばね３６の付勢により互いに反対側に押されるが、可動爪３２の先端部の毛の挟持部が図１０に示すように、固定爪３０より離れるように爪支持部材３５に組み込まれるものである。ここで、可動爪３２は、固定爪３０と爪支持部３１に設けられた支点部３０ａ、３１ａを支点として揺動するものである。このように開閉手段と毛の把持部材が一つのブロック体として構成してある。このように構成することで、脱毛手段を小型化でき、腋等の毛が見えやすく、狙いやすくなるため、脱毛効率が良く、使い勝手のよいものとすることができる。
【００２０】
また、図１１には爪ブロック２１の構成の他の実施形態が示してある。この実施形態においては、開閉レバー３３、３４にそれぞれ複数個の可動爪３２を一体に形成したものである。開閉レバー３３の可動爪３２と、開閉レバー３４の可動爪３２とが互いに交互に位置するように、開閉レバー３３、３４を組み合わせ、一つのブロック体として構成している。このように構成することで、簡単な構造でブロック化でき、更に小型のヘッドにしても組み立て性が向上するものである。
【００２１】
爪取付台２０には回転軸Ｊ４と平行に且つ円周に所定間隔で複数の溝２０ａが設けてあり、この溝２０ａは回転軸Ｊ４と平行な方向の両端部のうちの一方と、爪取付台２０の外面とに開口しており、また爪取付台２０の半径方向において溝２０ａの外面側の開口縁部に支持部２０ｃが設けてある。溝２０ａには前述のようにしてブロック化した爪ブロック２１が軸方向の一端部の開口からスライドして嵌め込むことで組み込まれるものであり、この場合、溝２０内の幅広となった部分に枠体部３５ｂの側枠部３５ｃが嵌め込まれて支持部２０ｃが側枠部３５ｃの外面側に当たって爪ブロック２１が爪取付台２０の半径方向に支持され、回転軸Ｊ４と直交する方向への抜け止めがなされることになる。また、爪ブロック２１における毛の把持部材を構成する固定爪３０と可動爪３２との先端部が溝２０ａの爪取付台２０の外面側の開口から外方に突出している。また、この状態で、図７に示すように溝２０ａの爪取付台２０の外面側の開口端は爪支持部材３５の可動爪３２の揺動支点と一致させてある。
【００２２】
また、爪ブロック２１の長手方向（回転軸Ｊ４と平行な方向）の抜け止めは、一方は爪ブロック２１の端部の固定爪３０ｂの側面が爪取付台２０の一方の端部に設けた当たり部２０ｃに当ることによってなされ、また、他端部は爪取付台２０の側面に設けられた孔２０１に爪取付ギア５０に設けられたリブが圧入固定され、これにより爪ブロック２１の長手方向（回転軸Ｊ４と平行な方向）の抜け止めがなされる。このように両端部で爪ブロック２１の抜け止めをさせることで取り付け強度を向上させている。
【００２３】
爪取付台２０の周方向には複数のリブ２０ｂが形成してあり、この複数のリブ２０ｂは図１２、図１３に示すように、回転方向において、後方に位置する爪ブロック２１の固定爪３０と同一位置となっている。図１２において矢印イは回転方向を示し、図１３（ａ）は図１２のａ矢視図であり、図１３（ｂ）は図１２のｂ矢視図であり、図１３（ｃ）は図１２のｃ矢視図である。そして、この実施形態においては固定爪３０の位置が図１３に示すように互いにずれて位置するように構成してあり、このため、固定爪３０の後方に位置するリブ２０ｂとはずれたものとなっている。
【００２４】
また、２つの脱毛ブロック２間には肌押さえ部材５５が設けてある。肌押さえ部材５５は長手方向の両端部にリブ５５ａが突設してあり、ハウジング１０に設けた角孔１０１に嵌め込まれて固定してある。この肌押さえ部材５５は、その前後に位置する２つの脱毛ブロック２の上面よりも若干突出させてある。これは２つの脱毛ブロック２の上面よりも肌押さえ部材５５を若干突出させて肌に押さえつけることによって、脱毛ブロック２が互いに逆方向に回転していることにより、肌が互いに逆方向に引っ張られるときの刺激を防止しており、また、毛が同時に逆方向に脱毛されたり、また、どちらか一方の脱毛ブロック２によって脱毛されたときに毛と同時に肌が引っ張られるのを防止している。
【００２５】
脱毛ブロック２の回転における可動爪３２の揺動は、開閉レバー３３、３４の両端部に配置されるカム手段により行われる。カム手段は軸Ｊ５に対して回転自在にローラ４０を取り付けて構成してあり、爪取付台２０の回転軸Ｊ４がハウジング１０に取り付けられる孔１０ａの上方に設けた孔１０ｂに軸Ｊ５を固定し、ローラ４０を回転自在とするものである。そして、脱毛ブロック２が爪取付台ギア５０によって回転し、爪ブロック２１の一つが上方に回転してくると、当該開閉レバー３３、３４の端部がローラ４０によって押されて開閉レバー３３、３４が互いに内側に変位され、可動爪３２が爪支持部材３５に設けられた固定爪３０と爪支持部３１の支点部３０ａ、３０ｂを支点として固定爪３０を挟むようにして揺動され、これにより、固定爪３０と可動爪３２とで毛を挟持し、脱毛ブロック２が回転することで脱毛し、更に、脱毛ブロック２が回転することで、当該脱毛ブロック２の開閉レバー３３、３４からローラ４０から離れ、ばね３６の弾性力により開閉レバー３３、３４が互いに離れる方向に移動し、これにより脱毛した毛を離すものである。
【００２６】
【発明の効果】
上記のように本発明の請求項１記載の発明にあっては、毛を引き抜くための複数の爪を並設し、回転または回動する脱毛手段を有する脱毛装置において、毛の把持部材と、毛の把持部材を開閉する開閉手段とをブロック化してあるので、小型ものとすることができ、この結果、小型で腋等の毛が見えやすく、また狙いやすくて抜き残し無く、脱毛効率良く、使い勝手良く脱毛ができるものである。また、小型の脱毛ヘッドの構造を簡単にできて組み立て性が良く、安価にできるものであり、また、ブロック化した爪ブロックを溝に軸方向の一端部の開口から嵌め込んで毛の把持部材の先端部を爪取付台の外面から外方に突出させることで爪取付台に組み込むことができ、しかも、該爪ブロックの一端部を爪取付台の一方の端部に設けた当たり部に当接すると共に、爪取付台の他端部に爪取付ギアを取付けて爪ブロックの回転軸と平行な方向の抜けとめとするので、爪取付台の一方の端部に設けた当たり部と、爪取付ギアとにより長手方向の両側の抜け止めがなされ、爪ブロックが爪取付基台の軸方向にずれないように確実に取り付けられて、爪ブロックの取り付け強度を向上できる。
【００２７】
また、請求項２記載の発明にあっては、上記請求項１記載の発明の効果に加えて、回転または回動する基台に毛の把持部材と、毛の把持部材を開閉する開閉手段とをブロック化したブロック体を基台の軸方向にスライドして取り付けると共に、基台の半径方向にブロック体の支持部を設けてあるので、更に組み立てやすく、基台にブロック体を確実に取り付けることができて取り付け強度が向上するものである。
【００２８】
また、請求項３記載の発明にあっては、上記請求項１記載の発明の効果に加えて、毛の把持部材を構成する可動爪と開閉手段を構成するレバーとを一体化してあるので、簡単な構造でブロック化でき、さらに小型のヘッドにしても組み立て性が良くなるものである。
【００２９】
また、請求項４記載の発明にあっては、上記請求項１記載の発明の効果に加えて、複数の固定爪を一体に形成し、この固定爪を一体に形成したものに、可動爪とレバーとを組み込んでブロック化してあるので、小型のヘッドでも、組み立て性が良くなるものである。
【図面の簡単な説明】
【図１】本発明の脱毛装置の斜視図である。
【図２】同上の分解斜視図である。
【図３】同上の肌押さえ部材部分における正面断面図である。
【図４】同上の図３のＡ−Ａ線の断面図である。
【図５】同上の図３のＢ−Ｂ線の断面図である。
【図６】同上の拡大側面断面図である。
【図７】同上の脱毛ブロック部分における拡大正面断面図である。
【図８】同上の脱毛ブロックの斜視図である。
【図９】同上の脱毛ブロックの反対方向から見た斜視図である。
【図１０】同上の爪ブロックの斜視図である。
【図１１】同上の開閉レバーと可動爪とを一体化した例を示し、（ａ）は組み立てた状態の斜視図であり、（ｂ）は分解斜視図である。
【図１２】同上の爪ブロックの断面図である。
【図１３】（ａ）（ｂ）（ｃ）はそれぞれ図１２におけるａ矢視図、ｂ矢視図、ｃ矢視図を示している。
【符号の説明】
２  脱毛ブロック
７  駆動ギア
８  駆動ギア
９  駆動ギア
２０  爪取付台
３０  固定爪
３１  爪支持部材
３２  可動爪
３３  開閉レバー
３４  開閉レバー
３５  爪支持部材
５０  爪取付台ギア
【図１】
0003873446.tif 000002
【図２】
0003873446.tif 000003
【図３】
0003873446.tif 000004
【図４】
0003873446.tif 000005
【図５】
0003873446.tif 000006
【図６】
0003873446.tif 000007
【図７】
0003873446.tif 000008
【図８】
0003873446.tif 000009
【図９】
0003873446.tif 000010
【図１０】
0003873446.tif 000011
【図１１】
0003873446.tif 000012
【図１２】
0003873446.tif 000013
【図１３】
0003873446.tif 000014